(57)【要約】【課題】この発明は、同じ機種のデジタルカメラであっても、実際のＩＳＯ感度が目標ＩＳＯ感度となるようにＡＧＣゲインを調整する際に、搭載されている撮像素子の飽和特性に応じて適切なＡＧＣゲインを算出できるようになるデジタルカメラを提供することを目的とする。【解決手段】当該デジタルカメラの機種に使用される撮像素子がその飽和特性の違いによってグループ分けされており、各グループ毎に作成されたＩＳＯ感度調整テーブルを記憶した第１の記憶手段、当該デジタルカメラに使用されている撮像素子がどのグループに属するかを示す識別データを記憶する第２の記憶手段、ならびに撮影モード時において、目標ＩＳＯ感度が決定されたときに、識別データによって示されるグループに対応するＩＳＯ感度調整テーブルに基づいて、目標ＩＳＯ感度に対応するＡＧＣゲインを算出する算出手段を備えている。【選択図】図９
2009060369.tif 000002
【特許請求の範囲】
【請求項１】
実際のＩＳＯ感度が目標ＩＳＯ感度となるようにＡＧＣゲインを調整する機能を備えたデジタルカメラにおいて、
当該デジタルカメラの機種に使用される撮像素子がその飽和特性の違いによってグループ分けされており、各グループ毎に複数の目標ＩＳＯ感度に対応するＡＧＣゲイン算出用データを記憶したＩＳＯ感度調整テーブルが作成されており、各グループ毎に作成されたＩＳＯ感度調整テーブルを記憶した第１の記憶手段、
当該デジタルカメラに使用されている撮像素子がどのグループに属するかを示す識別データを記憶する第２の記憶手段、ならびに
撮影モード時において、目標ＩＳＯ感度が決定されたときに、識別データによって示されるグループに対応するＩＳＯ感度調整テーブルに基づいて、目標ＩＳＯ感度に対応するＡＧＣゲインを算出する算出手段、
を備えていることを特徴とするデジタルカメラ。
【請求項２】
上記識別データは、工場出荷前に行なわれるＡＧＣ調整において算出されたＡＧＣ調整値またはＡＧＣ調整基準ゲインに基づいて生成されることを特徴とする請求項１に記載のテジタルカメラ。
【請求項３】
上記算出手段は、識別データによって示されるグループに対応するＩＳＯ感度調整テーブルに基づいて、目標ＩＳＯ感度に対応するＡＧＣゲイン算出用データを算出し、得られたＡＧＣゲイン算出用データと工場出荷前のＡＧＣ調整時に算出されたＡＧＣ調整基準ゲインとに基づいて、目標ＩＳＯ感度に対応するＡＧＣゲインを算出することを特徴とする請求項１乃至２に記載のテジタルカメラ。
【請求項４】
ある目標ＩＳＯ感度に対応するＡＧＣゲイン算出用データは、工場出荷前のＡＧＣ調整時に算出されたＡＧＣ調整基準ゲインに当該ＡＧＣゲイン算出用データを乗算することにより、実際のＩＳＯ感度が当該目標ＩＳＯ感度となるようなＡＧＣゲインを算出するためのデータであることを特徴とする請求項１乃至３に記載のテジタルカメラ。
【発明の詳細な説明】
【技術分野】
【０００１】
この発明は、デジタルカメラに関する。
【背景技術】
【０００２】
デジタルカメラは、一般に、ＡＧＣ機能を備えている。ＡＧＣ機能とは、カメラの映像信号増幅部（ＡＧＣ回路）のゲインを被写体の明るさに対応して自動的に調整し、信号出力を一定に保つようにする機能をいう。
【０００３】
デジタルカメラにおいては、工場出荷前にＡＧＣ調整を行なうことにより、ＡＧＣ調整値（ＡＧＣ調整コード）が求められ、求められたＡＧＣ調整値から基準となるＡＧＣゲイン（ＡＧＣ調整基準ゲイン）が算出される。ＡＧＣ調整基準ゲインとは、予め定められた基準光量に対応するＡＧＣ回路の出力が予め定められた基準感度となるように、ＡＧＣ回路に与えられるゲインをいう。ＡＧＣ調整時には、ＣＣＤ等の固体撮像素子（以下、撮像素子という）の所定領域内に存在する複数の画素の出力の平均値に基づいて、ＡＧＣ調整値を求めている。ＡＧＣ調整後の入射光量に対するＡＧＣ回路の出力の特性に基づいて、基準となるＩＳＯ感度（基準ＩＳＯ感度）が決定される。
【０００４】
ところで、ＣＣＤの飽和特性には、ばらつきがある。図１の曲線Ｓ１は飽和の高いＣＣＤ画素の飽和特性を示し、曲線Ｓ２は飽和の低いＣＣＤ画素の飽和特性を示している。また、曲線Ｓ３は、ＡＧＣ調整後の特性を示している。基準光量に対応するＡＧＣ回路の出力が基準感度となるように調整するためには、飽和の低いＣＣＤ画素に対しては、飽和の高いＣＣＤ画素に比べて、より大きなゲインを与える必要があるため、ＡＧＣ調整値およびＡＧＣ調整基準ゲインが大きくなる。
【０００５】
図２は、カメラセットに複数の同機種のＣＣＤサンプルを組み込んでＡＧＣ調整値を求めた場合の、ＡＧＣ調整値のヒストグラムを示している。
【０００６】
大部分のＣＣＤサンプルから得られたＡＧＣ調整値は１５０〜１８０の範囲内に収まっているが、一部のＣＣＤサンプルから得られたＡＧＣ調整値は２１０〜２３０の範囲内にある。そこで、ＡＧＣ調整値が２００以下であるＣＣＤを第１グループのＣＣＤといい、ＡＧＣ調整値が２００より大きなＣＣＤを第２グループのＣＣＤということにする。第１グループに属するＣＣＤは、平均的な飽和特性を備えていると考えられる。第２グループに属するＣＣＤは、飽和の低いＣＣＤ画素が多く含まれていと考えられる。
【０００７】
デジタルカメラにおいては、周辺輝度、シャッタ速度等に応じて好適な目標ＩＳＯ感度が設定され、実際のＩＳＯ感度が目標ＩＳＯ感度となるようにＡＧＣゲインが制御される。目標ＩＳＯ感度が高くなるにしたがって、基準ＩＳＯ感度に対する目標ＩＳＯ感度の比率に比例してＡＧＣゲインを大きくした場合、ＡＧＣ回路の出力は線形に変化せず、目標ＩＳＯ感度に対して、実際のＩＳＯ感度が大きくなってしまう。図３において、曲線Ｑ１は、基準ＩＳＯ感度に対する目標ＩＳＯ感度の比率をＡＧＣ調整基準ゲインに乗算することによりＡＧＣゲインを決定した場合、目標ＩＳＯ感度と実際のＩＳＯ感度との関係を示すグラフである。
【０００８】
そこで、実際のＩＳＯ感度が設定されたＩＳＯ感度となるように、つまり、目標ＩＳＯ感度と実際のＩＳＯ感度との関係が図３の直線Ｌ１の関係となるように、目標ＩＳＯ感度に応じてＡＧＣ調整基準ゲインに乗算すべき倍率を補正するようにしている。具体的には、目標ＩＳＯ感度に応じた補正後の倍率をテーブルとして備えている。しかしながら、このような補正後の倍率は、平均的な飽和特性を有する第１グループのＣＣＤを備えたカメラを想定して作成されているため、ＡＧＣ調整基準ゲインが高く設定されている第２グループのＣＣＤを備えたカメラでは、このような補正後の倍率を用いてＡＧＣゲインを決定したとしても、ＩＳＯ感度が高くなってしまい、本来得たかったＩＳＯ感度とならないという問題がある。
【０００９】
つまり、第２グループのＣＣＤを備えたカメラでは、ＡＧＣ調整基準ゲインが第１グループのＣＣＤを備えたカメラより大きいため、基準ＩＳＯ感度に対する目標ＩＳＯ感度の比率をＡＧＣ調整基準ゲインに乗算することによりＡＧＣゲインを決定した場合、目標ＩＳＯ感度と実際のＩＳＯ感度との関係は図３の曲線Ｑ２に示すようになる。したがって、第２グループのＣＣＤを備えたカメラに対して、第１グループのＣＣＤを備えたカメラを想定して作成された補正後の倍率を用いて、ＡＧＣゲインを決定したとしても、目標ＩＳＯ感度と実際のＩＳＯ感度との関係が図３の直線Ｌ２となるように補正されるだけであり、本来得たかったＩＳＯ感度とならない。
【００１０】
【特許文献１】特開２００６−１５７６７７号公報
【発明の開示】
【発明が解決しようとする課題】
【００１１】
この発明は、同じ機種のデジタルカメラであっても、実際のＩＳＯ感度が目標ＩＳＯ感度となるようにＡＧＣゲインを調整する際に、搭載されている撮像素子の飽和特性に応じて適切なＡＧＣゲインを算出できるようになるデジタルカメラを提供することを目的とする。
【課題を解決するための手段】
【００１２】
請求項１に記載の発明は、実際のＩＳＯ感度が目標ＩＳＯ感度となるようにＡＧＣゲインを調整する機能を備えたデジタルカメラにおいて、当該デジタルカメラの機種に使用される撮像素子がその飽和特性の違いによってグループ分けされており、各グループ毎に複数の目標ＩＳＯ感度に対応するＡＧＣゲイン算出用データを記憶したＩＳＯ感度調整テーブルが作成されており、各グループ毎に作成されたＩＳＯ感度調整テーブルを記憶した第１の記憶手段、当該デジタルカメラに使用されている撮像素子がどのグループに属するかを示す識別データを記憶する第２の記憶手段、ならびに撮影モード時において、目標ＩＳＯ感度が決定されたときに、識別データによって示されるグループに対応するＩＳＯ感度調整テーブルに基づいて、目標ＩＳＯ感度に対応するＡＧＣゲインを算出する算出手段を備えていることを特徴とする。
【００１３】
請求項２に記載の発明は、請求項１に記載のテジタルカメラにおいて、上記識別データは、工場出荷前に行なわれるＡＧＣ調整において算出されたＡＧＣ調整値またはＡＧＣ調整基準ゲインに基づいて生成されることを特徴とする。
【００１４】
請求項３に記載の発明は、請求項１乃至２に記載のテジタルカメラにおいて、上記算出手段は、識別データによって示されるグループに対応するＩＳＯ感度調整テーブルに基づいて、目標ＩＳＯ感度に対応するＡＧＣゲイン算出用データを算出し、得られたＡＧＣゲイン算出用データと工場出荷前のＡＧＣ調整時に算出されたＡＧＣ調整基準ゲインとに基づいて、目標ＩＳＯ感度に対応するＡＧＣゲインを算出することを特徴とする。
【００１５】
請求項４に記載の発明は、請求項１乃至３に記載のテジタルカメラにおいて、ある目標ＩＳＯ感度に対応するＡＧＣゲイン算出用データは、工場出荷前のＡＧＣ調整時に算出されたＡＧＣ調整基準ゲインに当該ＡＧＣゲイン算出用データを乗算することにより、実際のＩＳＯ感度が当該目標ＩＳＯ感度となるようなＡＧＣゲインを算出するためのデータであることを特徴とする。
【発明の効果】
【００１６】
この発明によれば、同じ機種のデジタルカメラであっても、実際のＩＳＯ感度が目標ＩＳＯ感度となるようにＡＧＣゲインを調整する際に、搭載されている撮像素子の飽和特性に応じて適切なＡＧＣゲインを算出できるようになる。
【発明を実施するための最良の形態】
【００１７】
以下、この発明の実施例について説明する。
【実施例１】
【００１８】
〔１〕デジタルカメラの構成
【００１９】
図４は、デジタルカメラの構成を示している。
【００２０】
ＣＣＤ（撮像素子）３は、レンズ１および絞り機構２を通して入射した光学像を光電変換し、電気信号として出力する。レンズ１および絞り機構２は、モータ駆動部３１によって駆動される。ＣＣＤ３は、ＣＣＤ駆動部３２によつて駆動される。
【００２１】
ＣＣＤ３の出力信号（ＲＧＢ信号）は、ＣＤＳ回路４に送られて相関二重サンプリング処理された後、ＡＧＣ回路５によって最適な振幅にゲイン調整される。ＡＧＣ回路５の出力信号は、Ａ／Ｄ変換器６によってデジタル映像信号に変換される。Ａ／Ｄ変換器６によって得られたデジタル映像信号は信号処理部７に送られ、所定の信号処理が施されることにより、ＹＵＶ信号が生成される。信号処理部７によって生成されたデジタル画像データは、ＳＤＲＡＭ８に格納される。
【００２２】
デジタルカメラの各部は、マイクロコンピュータ（マイコン）２０によって制御される。マイコン２０には、操作部２１を備えている。操作部２１には、電源ボタン、シャッターボタン、ズームスイッチ、撮影モードと再生モードとを切り替えるモード切替スイッチ、メニュー画面を表示させるためのメニューボタン、上下左右移動キー機能および決定キー機能を備えたＳＥＴボタン等の各種ボタンが設けられている。
【００２３】
マイコン２０には、上述したモータ駆動部３１、ＣＣＤ駆動部３２、ＡＧＣ回路５、信号処理部７およびＳＤＲＡＭ８の他、画像圧縮・伸張処理部９、Ｄ／Ａ変換器１０およびカード制御部１３が接続されている。Ｄ／Ａ変換器１０には、ビデオエンコーダ１１を介して表示器１２が接続されている。カード制御部１３には、外部メモリカード１４が接続されている。
【００２４】
撮影モード時の動作について説明する。操作部２１のシャッターボタンが押下げられていない場合には、一定間隔（例えば１／６０秒）で撮影された画像データがＳＤＲＡＭ８に書き込まれた後、Ｄ／Ａ変換器１０によってアナログ映像信号に変換された後、ビデオエンコーダ１１によりＮＴＳＣ信号に変換されて表示器１２に表示される。このような表示は、スルー表示と呼ばれている。
【００２５】
シャッターボタンが押下げられると、静止画の撮影を開始し、そのタイミングで撮影された画像データがＳＤＲＡＭ８に書き込まれる。ＳＤＲＡＭ８に書き込まれた画像データは、Ｄ／Ａ変換器１０およびビデオエンコーダ１１を介して表示器１２に送られて表示されるとともに、画像圧縮・伸張処理部９によってＪＰＥＧ形式にエンコードされた後、カード制御部１３によって外部メモリカード１４に保存される。
【００２６】
〔２〕ＩＳＯ感度調整
【００２７】
マイコン２０は、周辺輝度とシャッタ速度に基づいて目標ＩＳＯ感度を決定し、決定したＩＳＯ感度（設定ＩＳＯ感度）と予め設定されたＡＧＣ調整基準ゲインとＩＳＯ感度調整テーブルとに基づいて、実際のＩＳＯ感度が設定ＩＳＯ感度となるようなＡＧＣゲインを算出する。そして、ＡＧＣ回路５のゲインが算出したＡＧＣゲインとなるように、ＡＧＣ回路５を制御する。なお、マイコン２０は、例えば、図５の露出制御プログラム線図に基づいて、目標ＩＳＯ感度を決定する。この露出制御プログラム線図に従えば、周辺輝度が暗くなるほど、シャッター速度を遅くする（露光時間を長くする）とともに目標ＩＳＯ感度を大きくするように、露光時間および目標ＩＳＯ感度が制御される。
【００２８】
この実施例では、同機種のデジタルカメラに搭載されるＣＣＤには、その飽和特性が異なる２つのグループが存在していると想定している。具体的には、図２に示すように、ＡＧＣゲイン調整値が２００以下となる第１グループと、ＡＧＣゲイン調整値が２００より大きくなる第２グループとが存在していると想定している。第１グループに属するＣＣＤは、平均的な飽和特性を備えていると考えられ、第２グループに属するＣＣＤは、飽和の低いＣＣＤ画素が多く含まれていと考えられる。
【００２９】
そして、各グループそれぞれに適したＩＳＯ感度調整テーブルを予め作成して、その両方のＩＳＯ感度調整テーブルをマイコン２０内の不揮発性メモリに保存している。デジタルカメラのＡＧＣ調整値およびＡＧＣ調整基準ゲインは、工場出荷前に行なわれるＡＧＣ調整において決定される。ＡＧＣ調整では、入射光量が基準光量である場合に、ＡＧＣ回路の出力が基準感度となるＡＧＣ調整値が求められ、求められたＡＧＣ調整値から基準となるゲインがＡＧＣ調整基準ゲインとして求められる。この実施例では、工場出荷前に行なわれるＡＧＣ調整時に、ＡＧＣ調整値またはＡＧＣ調整基準ゲインに基づいて、当該カメラに搭載されているＣＣＤが第１グループに属するか第２グループに属するかを判定し、その判定結果をマイコン２０内の不揮発性メモリに記憶させている。この判定処理を飽和特性判定処理ということにする。
【００３０】
そして、製品化されたデジタルカメラがカメラとして実際に使用される際には、マイコン２０内の不揮発性メモリに記憶されている飽和特性判定結果に基づいて、ＡＧＣゲイン算出時に使用するＩＳＯ感度調整テーブルが選択される。
【００３１】
〔３〕事前処理
【００３２】
〔３−１〕ＩＳＯ感度調整テーブルの作成
【００３３】
図６は第１グループ用のＩＳＯ感度調整テーブル（以下、第１のＩＳＯ感度調整テーブという）を示し、図７は第２グループ用のＩＳＯ感度調整テーブル（以下、第２のＩＳＯ感度調整テーブという）を示している。                                        
【００３４】
第１のＩＳＯ感度調整テーブルの作成方法について説明する。まず、カメラ試作段階で、撮像素子メーカより、平均的な飽和特性を持つ標準サンプル（ＣＣＤ）を取り寄せて、カメラセットに組み込み、目標ＩＳＯ感度を予め定められた複数種類の目標ＩＳＯ感度それぞれに設定した際の実際のＩＳＯ感度を測定する。
【００３５】
目標ＩＳＯ感度をある目標ＩＳＯ感度に設定した場合の実際のＩＳＯ感度は、次のようにして測定される。まず、標準サンプルが組み込まれたカメラを用いて、ＡＧＣ調整を行なって、ＡＧＣ調整基準ゲインを求めておくとともに、ＡＧＣ調整後の入射光量に対するＡＧＣ回路の出力の特性に基づいて、基準となるＩＳＯ感度（基準ＩＳＯ感度）を決定しておく。そして、基準ＩＳＯ感度に対する当該目標ＩＳＯ感度の比率を、ＡＧＣ調整基準ゲインに乗算することにより、ＡＧＣゲインを算出する。ＡＧＣ回路のゲインを算出したＡＧＣゲインに設定して、実際のＩＳＯ感度を測定する。
【００３６】
なお、上記標準サンプルの入手が困難の場合、ｎ個（ｎは所定数）のサンプルの平均値を測定値とする。
【００３７】
図６の第１のＩＳＯ感度調整テーブルにおいて、ＩＳＯ設定値は、目標ＩＳＯ感度を表している。このうち、”５０”が、基準ＩＳＯ感度である。あるＩＳＯ設定値に対応するＩＳＯ感度補正前ゲインは、当該ＩＳＯ設定値に対応するＡＧＣゲインを算出するために、ＡＧＣ調整基準ゲインに乗算する補正前比率（倍率）〔％〕を表している。あるＩＳＯ設定値に対応するＩＳＯ感度補正前ゲインは、基準ＩＳＯ感度に対する当該ＩＳＯ設定値の比率〔％〕と等しい。あるＩＳＯ設定値に対応するＩＳＯ感度測定値（調整前）は、当該ＩＳＯ設定値に対応するＩＳＯ感度補正前ゲインを用いてＡＧＣゲインを算出してＡＧＣ回路に設定した場合の、実際のＩＳＯ感度の測定値を示している。
【００３８】
このようにして、各目標ＩＳＯ感度に設定した際の、実際のＩＳＯ感度の測定が終了すると、ＩＳＯ感度補正前ゲインをどれだけ補正すれば測定ＩＳＯ感度が目標ＩＳＯ感度に近づくかを計算することにより、ＩＳＯ感度補正ゲインを求める。そして、求めたＩＳＯ感度補正ゲインからＡＧＣゲインを算出してＡＧＣ回路に設定して、実際のＩＳＯ感度を測定し、測定ＩＳＯ感度と目標ＩＳＯ感度との誤差が許容範囲内にあるか否かを判断する。この例では、許容範囲は、第１のＩＳＯ感度調整テーブルに示すように、｛（目標ＩＳＯ感度−目標ＩＳＯ感度×５％）〜目標ＩＳＯ感度｝の範囲とされている。
【００３９】
誤差が許容範囲内でなければ、ＩＳＯ感度補正ゲインを微調整して、同様な操作を行なう。このような操作を、誤差が許容範囲内になるまで繰り返す。なお、基準ＩＳＯ感度（この例では”５０”）に対応するＡＧＣゲイン（ＡＧＣ調整基準ゲイン）は、全ての基準となるため、補正は行なわれない。このようにして、求められたＩＳＯ感度補正ゲインと、それに対応するＩＳＯ感度測定値（調整後）は、第１のＩＳＯ感度調整テーブルに記憶される。
【００４０】
第２のＩＳＯ感度調整テーブルの作成方法について説明する。ＡＧＣ調整によって求められたＡＧＣ調整値が所定の閾値ＴＨ（図２の例では、ＴＨ＝２００）を超えているＣＣＤをｎ個（ｎは所定数）ピックアップする。これらのサンプルを用いて、目標ＩＳＯ感度を予め定められた複数種類の目標ＩＳＯ感度それぞれに設定した際の実際のＩＳＯ感度を測定する。そして、各目標ＩＳＯ感度毎に、ｎ個のサンプルのＩＳＯ感度測定値の平均値を、ＩＳＯ感度測定値（測定前）とする。この後、第１のＩＳＯ感度調整テーブルと同様な方法で、ＩＳＯ感度補正ゲインおよびＩＳＯ感度測定値（調整後）を求める。
【００４１】
〔３−２〕飽和特性判定処理
【００４２】
図８は、工場出荷前に行なわれる飽和特性判定処理の手順を示している。
【００４３】
まず、ＡＧＣ調整を行う（ステップＳ１）。つまり、予め定められた基準光量に対応するＡＧＣ回路５の出力が予め定められた基準感度となるようなＡＧＣ調整値を求めるとともに、求めたＡＧＣ調整値から基準となるＡＧＣゲイン（ＡＧＣ調整基準ゲイン）として求める。そして、得られたＡＧＣゲイン調整値およびＡＧＣ調整基準ゲインを、不揮発性メモリに保存する。
【００４４】
次に、ＡＧＣ調整値が閾値ＴＨより大きいか否かを判別する（ステップＳ２）。閾値ＴＨは、ＡＧＣ調整値の頻度分布に基づいて予め設定されている。この例では、ＡＧＣ調整値の頻度分布が図２に示すような分布であるため、ＴＨは２００に設定されている。ＡＧＣ調整値が閾値ＴＨ以下である場合には、当該カメラはグループ１に属すると判断し、フラグＦの値を０（Ｆ＝０）に設定する（ステップＳ３）。そして、飽和特性判定処理を終了する。
【００４５】
上記ステップＳ２において、ＡＧＣ調整値が閾値ＴＨより大きいと判別した場合には、当該カメラはグループ２に属すると判断し、フラグＦの値を１（Ｆ＝１）に設定する（ステップＳ４）。そして、飽和特性判定処理を終了する。このフラグＦの値は、不揮発性メモリに記憶される。
【００４６】
〔４〕ＩＳＯ感度調整処理
【００４７】
図９は、撮影モード時に行なわれるＩＳＯ感度調整処理の手順を示している。
【００４８】
撮影モード時には、常時は、スルー表示を行なっている（ステップＳ１１）。シャッタボタンが半押し状態となると（ステップＳ１２）、露出計算を行う（ステップＳ１３）。つまり、次式（１）に基づいて、撮影時のシャッタ速度（露光時間）を算出する。
【００４９】
撮影時のシャッタ速度＝（輝度目標値／現在の輝度）×現在の輝度を取得するために使用したシャッタ速度        …（１）
【００５０】
”輝度目標値”は予め設定されいる。”現在の輝度”は、直前に取り込まれたスルー画像から算出される。”現在の輝度を取得するために使用したシャッタ速度”は、直前に取り込まれたスルー画像の露光時間であり、予め設定されている。
【００５１】
次に、得られた撮影時のシャッタ速度と現在の輝度と露出制御プログラム線図とに基づいて、目標ＩＳＯ感度（設定ＩＳＯ感度）を決定する（ステップＳ１４）。
【００５２】
次に、フラグＦの値が０であるか否かを判別する（ステップＳ１５）。フラグＦの値が０である場合には、第１のＩＳＯ感度調整テーブルを使用して、ＡＧＣゲインを算出する（ステップＳ１６）。具体的には、第１のＩＳＯ感度調整テーブルに基づいて、目標ＩＳＯ感度に対応するＩＳＯ感度補正ゲイン〔％〕を算出し、算出したＩＳＯ感度補正ゲイン〔％〕をＡＧＣ調整時に取得したＡＧＣ調整基準ゲインに乗算することにより、ＡＧＣゲインを算出する。そして、ステップＳ１８に進む。なお、目標ＩＳＯ感度に対応するＩＳＯ感度補正ゲイン〔％〕は、第１のＩＳＯ感度調整テーブルに存在する複数種類の目標ＩＳＯ感度それぞれに対応するＩＳＯ感度補正ゲインに基づいて、補間法により求められる。
【００５３】
上記ステップＳ１５において、フラグＦの値が１であると判別した場合には、第２のＩＳＯ感度調整テーブルを使用して、ＡＧＣゲインを算出する（ステップＳ１７）。具体的には、第２のＩＳＯ感度調整テーブルに基づいて、目標ＩＳＯ感度に対応するＩＳＯ感度補正ゲイン〔％〕を算出し、算出したＩＳＯ感度補正ゲイン〔％〕をＡＧＣ調整時に取得したＡＧＣ調整基準ゲインに乗算することにより、ＡＧＣゲインを算出する。そして、ステップＳ１８に進む。なお、目標ＩＳＯ感度に対応するＩＳＯ感度補正ゲイン〔％〕は、第２のＩＳＯ感度調整テーブルに存在する複数種類の目標ＩＳＯ感度それぞれに対応するＩＳＯ感度補正ゲインに基づいて、補間法により求められる。
【００５４】
ステップＳ１８では、算出されたＡＧＣゲインに基づいて、ＡＧＣ回路５のＡＧＣゲインを制御する。この後、シャッタボタンが押し込まれたか否かを判別する（ステップＳ１９）。シャッタボタンが押し込まれたと判別した場合には、露光を行なうことにより、静止画が撮影される（ステップＳ２１）。
【００５５】
上記ステップＳ１９において、シャッタボタンが押し込まれていないと判別した場合には、シャッタボタンが半押し状態であるか否かを判別する（ステップＳ２０）。シャッタボタンが半押し状態である場合には、ステップＳ１９に戻る。ステップＳ２０において、シャッタボタンが半押し状態でないと判別した場合には、ステップＳ１１に戻る。
【図面の簡単な説明】
【００５６】
【図１】飽和の高い画素の飽和特性と、飽和の低い画素の飽和特性とを示すグラフある。
【図２】同じ機種の複数台のデジタルカメラから得られたＡＧＣゲイン調整値のヒストグラムである。
【図３】基準ＩＳＯ感度に対する設定ＩＳＯ感度の比率をＡＧＣゲイン調整基準ゲインに乗算することによりＡＧＣゲインを決定した場合、設定ＩＳＯ感度と実際のＩＳＯ感度との関係を示すグラフである。
【図４】デジタルカメラの構成を示すブロック図である。
【図５】目標ＩＳＯ感度を決定するために用いられる露出制御プログラム線図である。
【図６】第１グループ用のＩＳＯ感度調整テーブルを示す模式図である。
【図７】第２グループ用のＩＳＯ感度調整テーブルを示す模式図である。
【図８】工場出荷前に行なわれる飽和特性判定処理の手順を示すフローチャートである。
【図９】撮影モード時に行なわれるＩＳＯ感度調整処理の手順を示すフローチャートである。
【符号の説明】
【００５７】
３  ＣＣＤ
４  ＣＤＳ回路
５  ＡＧＣ回路
６  Ａ／Ｄ変換器
７  信号処理部
８  ＳＤＲＡＭ
９  画像圧縮・伸張処理部
１２  表示器
１３  カード制御部
１４  外部メモリカード
２０  マイコン
２１  操作部
【図１】
2009060369.tif 000003
【図２】
2009060369.tif 000004
【図３】
2009060369.tif 000005
【図４】
2009060369.tif 000006
【図５】
2009060369.tif 000007
【図６】
2009060369.tif 000008
【図７】
2009060369.tif 000009
【図８】
2009060369.tif 000010
【図９】
2009060369.tif 000011